(57)【特許請求の範囲】
【請求項１】
培地に植え付けられる植物を栽培あるいは観賞するために使用される植物栽培用容器であって、
前記植物を覆うように配設される保護ケースと、前記保護ケースを支持する器台とを有し、
前記保護ケースは、一部または全部が透明材より形成される上ケースと、前記上ケースと連結され前記培地を収納する下ケースと、から構成され、
前記下ケースは、前記培地を収納する培地収納部とフランジ面とを有し、
前記フランジ面には、上方に向かって突起部が少なくとも一箇所に形成され、前記突起部には前記突起部表面より前記フランジ面底部まで連通する通気穴が形成されていることを特徴とする植物栽培用容器。
【請求項２】
請求項１に記載の植物栽培用容器であって、前記通気穴には、フィルタが前記通気穴を塞ぐように配設されていることを特徴とする植物栽培用容器。
【請求項３】
請求項２に記載の植物栽培用容器であって、前記フィルタは合成繊維または天然繊維製であり、前記フィルタには、抗菌剤が付着されていることを特徴とする植物栽培用容器。
【請求項４】
請求項２に記載の植物栽培用容器であって、前記フィルタとして、抗菌作用を有する金属製の線材が使用されていることを特徴とする植物栽培用容器。
【請求項５】
請求項１に記載の植物栽培用容器であって、前記フランジ面は、全周にわたって、前記フランジ面外周から前記培地収納部側に向かって低くなるように形成されていることを特徴とする植物栽培用容器。
【請求項６】
請求項１または５に記載の植物栽培用容器であって、前記培地収納部の前記フランジ面に連接する位置付近には、スリット状の穴が複数個形成されていることを特徴とする植物栽培用容器。
【請求項７】
請求項１に記載の植物栽培用容器であって、前記突起部の上端が斜辺状に形成されていることを特徴とする植物栽培用容器。
【発明の詳細な説明】
【０００１】
【発明の属する技術分野】
この発明は、植物を栽培あるいは観賞するために設けられる植物栽培用容器に関する。
【０００２】
【従来の技術】
従来使用されている植物栽培用容器を図１０に示す。
【０００３】
植物栽培用容器１は、植物を保護するための保護ケース２及び器台８からなり、該保護ケース２は上ケース３と下ケース４とを備えた構成である。
【０００４】
ここで、前記上ケース３は、保護ケース２内の植物Ｓが見えるように透明材料で形成されており、下ケース４は外周部が上ケース３に連結されて内部を密閉するとともに、中央部に植物Ｓが植えられている培地９が収納されている。
【０００５】
下ケース４は、中央部が上方にむかって開口された円筒状の培地収納部６が形成され、下部にフランジ面７が形成されている構成である。
【０００６】
フランジ面７及び器台８には、上ケースが曇らないように複数個の通気穴７ａ及び穴部８ａが、それぞれ互いに連通するように形成されており、通気穴７ａの表面はフィルタ１０で塞がれている。
【０００７】
【発明が解決しようとする課題】
この従来の植物栽培用容器に使用される培地は、一般的に植物で使用される栄養分を、例えば寒天で固めたもので水分も含まれている。
【０００８】
また、容器内は室温と同じ温度に保たれているため、長期間使用していると水分が蒸発してくる。この蒸発した水分は上昇して上ケースの内周璧に溜り、結露となる。
【０００９】
この結露は、やがて下ケース上に落ちて溜る。この水が下ケース上に多量に溜ると、フィルタで塞がれた通気穴が水に塞がれてしまって、通気性が悪くなることがあった。通気性が悪いと、ケース内に曇りが生じ、観賞しづらくなるというおそれがある。
【００１０】
本発明は、上記にかんがみて、下ケース上に水分が溜っても、通気性の良好な植物栽培用容器を提供することを目的とする。
【００１１】
【課題を解決するための手段】
本発明の植物栽培用容器は、上記課題を、下記構成により解決するものである。
【００１２】
培地に植え付けられる植物を栽培あるいは観賞するために使用される植物栽培用容器であって、
植物を覆うように配設される保護ケースと、保護ケースを支持する器台とを有し、
保護ケースは、一部または全部が透明材より形成される上ケースと、上ケースと連結され培地を収納する下ケースと、から構成され、
下ケースは、培地を収納する培地収納部とフランジ面とを有し、
フランジ面には、上方に向かって突起部が少なくとも一箇所に形成され、突起部には突起部表面よりフランジ面底部まで連通する通気穴が形成されていることを特徴とする。
【００１３】
通気穴には、フィルタが通気穴を塞ぐように配設されていることを特徴とするものであれば、なお好ましい。
【００１４】
なお、フィルタを合成繊維または天然繊維製とし、抗菌剤が付着されている構成としてもよく、また、フィルタとして、抗菌作用を有する金属製の線材を使用することも可能である。
【００１５】
また、フランジ面は、全周にわたって、フランジ面外周から培地収納部側に向かって低くなるように形成されていることを特徴とするものであればさらに好ましい。
【００１６】
さらに、培地収納部のフランジ面に連接する位置付近に、スリット状の穴が複数個形成されていることを特徴とするものであってよい。
【００１７】
さらにまた、突起部が斜辺状に形成されていることを特徴とするものであってもよい。
【００１８】
【発明の実施の形態】
以下、この発明の一実施の形態を図面に基づいて説明する。
【００１９】
本発明の一実施形態である植物栽培用容器１１は、図１に示すように、上ケース１３、下ケース１４及び上ケース１３と下ケース１４との間に介在されるパッキン１５からなる保護ケース１２と、保護ケース１２を支持する器台１８とを備えて構成されている。保護ケース１２内には、植物Ｓを培地９に植え、密閉状態にして配置している。また、保護ケース１２内は雑菌の侵入を防止して無菌状態を保つとともに、適度な湿度を保つようにしている。
【００２０】
上ケース１３は、透視できるように例えばポリカーボネート等の合成樹脂やガラス等の透明な材料で形成され、上部外周が半球状で下部が上部に連接する円筒状に形成され、下面が解放された状態で内部が中空状に形成されている。
【００２１】
なお、上ケース１３は全部透視可能とする必要はなく、例えば、培地表面に相当する部位以下を半透明または着色不透明としてもよい。
【００２２】
また、上ケース１３の下端部には、図３で示すように、保護ケース１２内を密封強固にするために、全周にわたってパッキン１５を押圧する突起部１３ａが形成されている。さらに、上ケース１３の下端部の近傍上方には、図４に示すように、器台１８と連結する連結片１９が下部の外周に４ケ所形成され、連結片１９の上面は、図５に示すように、平面視において、上ケース１３の回転する方向に対して後部側が高くなるように傾斜面１９ａを有している。なお、連結片１９の個数は４個に限定されるものではなく、複数個あれば効果的である。
【００２３】
下ケース１４は、中央部が上方にむかって開口された円筒状の培地収納部１６が形成され、下部にフランジ面１７が形成されている構成である。
【００２４】
フランジ面１７は外縁部がパッキン１５を介して上ケース１３に押圧される係合部２２を有し、係合部２２の外縁部には、パッキン１５を介して上ケース１３の突起部１３ａによって押圧されてケース内を密封するために、図３に示すように、外周にわたって凸部２２ａが形成されている。さらに、係合部２２の内側から培地収納部１６の外周部にかけては、全周にわたって、培地収納部１６側に向かって低くなるように傾斜部１７ａが形成されており、傾斜部１７ａの外周縁は係合部２２より高くなるように形成されている。培地収納部１６の傾斜部１７ａと連接する位置あたりには、外周方向に、横長のスリット状の穴２３が複数個形成されている。
【００２５】
傾斜部１７ａには、図２に示すように、周方向に沿って、複数個の突起部２５が上方に向かって形成され、突起部２５には上ケース１３が曇らないように、通気穴２５ａが形成されている。通気穴２５ａは、ケース内の無菌状態を保つために、突起部２５表面側よりフィルタ１０を接着剤等により貼着することによって塞がれている。
【００２６】
なお、図例では、突起部２５の上端は水平に形成されているが、図７に示すように、突起部２５の上端を、水滴が転がり落ちやすいように、斜辺状に形成することも可能である。
【００２７】
フィルタ１０の形成材料としては、通気性を有するものであれば特に限られるものではなく、通気性を有し、かつ、空中浮遊菌の侵入を防ぐ合成樹脂製のフィルム、織布、不織布等を使用可能である。
【００２８】
また、図８に示すように、通気穴２５ａの内部全体に合成繊維または天然繊維製のフィルター２０を充填させることも可能である。さらに、このフィルター２０に抗菌剤を付着させる等して、抗菌効果を付加させることも可能である。抗菌剤としては、銅（II）イオン（Ｃｕ2+）、銀（Ｉ）イオン（Ａｇ+ ）等の抗菌作用を有する金属イオンを含有する水溶液を使用することが好ましく、これらのうち、コスト等の見地から、硫酸銅（II）（ＣｕＳＯ4 ）水溶液を使用することが好ましい。
【００２９】
さらにまた、図９に示すように、通気穴２５ａの内部全体に、抗菌作用を有する金属製の線材を充填させてフィルター３０とすることも可能である。抗菌作用を有する金属としては、銅、銀、白金等の貴金属を挙げることができるが、コスト等の見地から銅線を使用することが好ましい。なお、図例では、フィルター３０として、周囲がビニールコーティングされた束状の線材で、径が通気穴２５ａの内径に適合するものを通気穴２５ａに充填したものが使用されているが、線材の使用形態はこれに限られるものではなく、例えば、線材を通気穴２５ａの径に適合するように丸めて、通気穴２５ａに充填することにより使用することも可能である。これらのフィルターは、図７に示す、上端が斜辺状の突起部にも、勿論、適用可能である。
【００３０】
なお、図３において２２ｂは、下ケース１４を支える脚部であり、係合部２２外周縁付近に下方に向かって、全周にわたって形成されている。この脚部２２ｂを形成することによって、保護ケース１２を器台１８に連結させるときに、係合部２２が下部空間に逃げ、ひずむのを防ぐことが可能となり、気密性もさらに向上する。
【００３１】
培地収納部１６に収納される培地９としては、一般的に植物培養で使用されるものが使用可能である。
【００３２】
培地収納部１６には、上面を覆うように、蓋体２７が配置されている。蓋体２７は、薄肉の板状物で、略中央部に、培地９に植えられた植物Ｓが振動等によりずれないように植物Ｓを保持する植物用孔２７ａと、その周囲に複数個の通気孔２７ｂが形成されている。培地収納部１６上端には、蓋体２７を嵌合させるための嵌合凹部１６ａが形成されている。
【００３３】
上ケース１３と下ケース１４との間に介在されるパッキン１５は、弾力のあるゴム製でリング状に形成されている。パッキン１５の上面には、上ケース１３の突起部１３ａに係合される凹部１５ａが形成され、パッキン１５の下面には下ケース１４のフランジ面に配された係合部２２に形成された凸部２２ａに係合される凹部１５ｂが形成されている。さらに外周部は下ケース１４のフランジ面１７の外周側面を囲うように全周にわたって下側に向かって突起される突起部１５ｃが形成されている。
【００３４】
器台１８は、図６に示すように、お盆型に形成されたものであり、側面部２８が中空状に形成されている。側面部２８の下端面は底面部２９の部位より下方に延設されており、側面部２８の内周壁に上ケース１３の連結片１９に係合される連結対片３１が連結片１９に対応して４ケ所形成される。また、底面部２９には、通気用の穴部２９ａが複数個形成されている。
【００３５】
連結対片３１の下面には、連結片１９の傾斜面１９ａが係合できるように傾斜面３１ａと、連結片１９の端面が当接するストッパ片３１ｂが傾斜面３１ａより低い位置に形成されている。そして、底面部２９の上面には下ケース１４が載置される構成である。
【００３６】
上記のように構成される植物栽培用容器１１は、培地９に植えられた植物Ｓが下ケース１４に納められ、保護ケース１２が器台１８に連結されることにより、保護ケース１２内が密封される。
【００３７】
下ケース１４への蓋体２７及び植物Ｓの固定方法及び、保護ケース１２の器台１８への連結方法は以下のとおりである。
【００３８】
まず、下ケース１４の培地収納部１６に形成された嵌合凹部１６ａに接着剤を塗布し、蓋体２７を載せて固定させる。培地９を高温状態にして、蓋体２７に形成された植物用孔２７ａから流し込み、培地９が冷えた後に植物Ｓを植物用孔２７ａを通して培地９に植える。次いで、下ケース１４を器台１８に載置し、下ケース１４の係合部２２に形成された凸部２２ａとパッキン１５の凹部１５ｂを合わせてパッキン１５を下ケース１４に係合させる。その後、上ケース１３を、上ケース１３の連結片１９と器台１８の連結対片３１とが干渉しない位置において、上ケース１３下面の突起部１３ａをパッキン１５の凹部１５ａに合わせながら、下ケース１４のフランジ面１７上に載置する。上ケース１３を器台１８に対して所定角度（連結片１９が連結対片３１のストッパ片３１ｂに当接するまで）回転させると、上ケース１３の連結片１９と器台１８の連結対片３１がその傾斜面１９ａ、３１ａにガイドされながら連結される。上ケース１３がパッキン１５を介して下ケース１４を押圧することによって保護ケース１２内が強固に密封される。
【００３９】
培地９に植えられる植物Ｓは、特に限られるものではないが、例えば、昆虫や小動物を捕らえて食虫作用をする食虫植物が挙げられる。これらの食虫植物の内で、例えば、ハエトリグサや、コモウセンゴケ、ミミカキグサ等が栽培される。本発明の植物栽培用容器１１は、光の照射する窓際等に置かれることによって適度な温度が保たれる。この場合約２０℃〜２５℃が適温である。
【００４０】
この状態でしばらくすると培地９に含まれる水分が蒸発し、上ケース１３の上部の内周壁に結露となって溜ってくる。結露は、その後、重力により上部から下方に伝わり下ケース１４のフランジ面１７に落下する。その水はフランジ面１７の傾斜部１７ａを伝わって、スリット状の穴２３を通り、培地９に到達する。そのため、培地９には常に水分が吸水されることとなる。また、水がフランジ面１７に溜っても、突起部２５が形成されているため、通気穴２５ａが水面下になることがなく、水により塞がれることがなくなるため、通気性は常に良好である。
【００４１】
さらに、突起部２５の上端を斜辺状に形成した場合には、突起部２５の上部に水滴が落下しても、落下した水滴は斜辺を容易に転がり落ちるため、突起部２５の上部に水滴が溜ることがない。
【００４２】
なお、本実施形態においては、保護ケースと器台との間に連結手段が設けられているが、下ケースに配設される培地に給水手段が配設できるものであれば、前記連結手段がないものでも、本発明は適応可能である。
【００４３】
【発明の効果】
本発明の植物栽培用容器は、植物を覆うように配設される保護ケースと、保護ケースを支持する器台とを有し、保護ケースは、一部または全部が透明材より形成される上ケースと、上ケースと連結され培地を収納する下ケースとから構成され、下ケースは、培地を収納する培地収納部とフランジ面とを有し、フランジ面には、上方に向かって突起部が少なくとも一箇所に形成され、突起部には突起部表面よりフランジ面底部まで連通する通気穴が形成されている構成であるため、下記のような効果を奏する。
【００４４】
水分がフランジ面に溜っても、通気穴は突起部上に形成されているため、水面下になることがなく、水により塞がれることがなくなるため、通気性は常に良好となる。
【００４５】
また、通気穴に抗菌材を付着させたフィルターを充填させた場合、空中浮遊菌の侵入を防ぐことができ、容器内の無菌を保つことが可能である。さらに、フィルターとして、抗菌作用を有する金属製の線材を充填させることによっても、同等の効果が得られる。
【００４６】
さらにまた、突起部の上端を斜辺状に形成した場合には、突起部の上端に水滴が落下しても、落下した水滴は斜辺を容易に転がり落ちるため、突起部の上部に水滴が溜ることがない。
【図面の簡単な説明】
【図１】本発明の一実施形態である植物栽培用容器を示す断面図
【図２】図１の植物栽培用容器における突起部及び通気穴を示す部分拡大断面図
【図３】図１の植物栽培用容器における上ケースと器台の連結部を示す部分拡大断面図
【図４】図１の植物栽培用容器における上ケースの平面図
【図５】図１の植物栽培用容器における連結片を示す図
【図６】図１の植物栽培用容器における器台を示す斜視図
【図７】図１の植物栽培用容器における他の形態の突起部及び通気穴を示す部分拡大断面図
【図８】図１の植物栽培用容器における突起部及び通気穴において他の形態のフィルタが使用されていることを示す部分拡大断面図
【図９】図１の植物栽培用容器における突起部及び通気穴においてさらに他の形態のフィルタが使用されていることを示す部分拡大断面図
【図１０】従来の植物栽培用容器を示す断面図
【符号の説明】
１、１１  植物栽培用容器
２、１２  保護ケース
３、１３  上ケース
４、１４  下ケース
８、１８  器台
９  培地
１０、２０、３０  フィルタ
２５  突起部
Ｓ  植物
【図１】
0003763030.tif 000002
【図２】
0003763030.tif 000003
【図３】
0003763030.tif 000004
【図４】
0003763030.tif 000005
【図５】
0003763030.tif 000006
【図６】
0003763030.tif 000007
【図７】
0003763030.tif 000008
【図８】
0003763030.tif 000009
【図９】
0003763030.tif 000010
【図１０】
0003763030.tif 000011